(57)【要約】【課題】ＴＤＤ−ＦＤＤキャリアアグリゲーションを行う際の間欠受信制御において、下りリンク再送タイミングの遅延やＵＥのバッテリー消費を抑制する。【解決手段】第１のデュプレックスモードで無線通信を行う第１セルで運用される第１コンポーネントキャリアと、前記第１のデュプレックスモードと異なる第２のデュプレックスモードで無線通信を行う第２セルで運用される第２コンポーネントキャリアとを用いてキャリアアグリゲーションを行う移動通信システムにおいて、前記第１コンポーネントキャリアと前記第２コンポーネントキャリアの送達確認用の上りリンク制御チャネルを送信するセルが設定されており、移動局は、前記第１コンポーネントキャリアで送られてくる第１下りデータ信号と、前記第２コンポーネントキャリアで送られてくる第２下りリンクデータ信号の少なくとも一方を受信したときに、前記上りリンク制御チャネルを送信するセルのデュプレックスモードに応じたタイマ値を用いて間欠受信制御を行う。【選択図】図６
2015154462.tif 000002
【特許請求の範囲】
【請求項１】
第１のデュプレックスモードで無線通信を行う第１セルで運用される第１コンポーネントキャリアと、前記第１のデュプレックスモードと異なる第２のデュプレックスモードで無線通信を行う第２セルで運用される第２コンポーネントキャリアとを用いてキャリアアグリゲーションを行う移動通信システムにおいて、
前記第１コンポーネントキャリア、及び前記第２コンポーネントキャリアの送達確認用の上りリンク制御チャネルを送信するセルが設定されており、
移動局は、前記第１コンポーネントキャリアで送られてくる第１下りリンクデータ信号と、前記第２コンポーネントキャリアで送られてくる第２下りリンクデータ信号の少なくとも一方を受信したときに、前記上りリンク制御チャネルを送信するセルのデュプレックスモードに応じたタイマ値を用いて間欠受信制御を行う、
ことを特徴とする移動通信システム。
【請求項２】
前記第１コンポーネントキャリアと前記第２コンポーネントキャリアの送達確認用に、単一の前記上りリンク制御チャネルが設定されている場合に、
前記移動局は、前記第１コンポーネントキャリアと、前記第２コンポーネントキャリアのそれぞれに対して、前記上りリンク制御チャネルを送信するセルの前記デュプレックスモードに応じた前記タイマ値を用いることを特徴とする請求項１に記載の移動通信システム。
【請求項３】
単一の前記上りリンク制御チャネルが周波数分割多重モードの前記第１セルに設定されている場合に、前記移動局は、前記第１コンポーネントキャリアと、前記第２コンポーネントキャリアのそれぞれに対して、前記周波数多重モードでの最小往復伝送時間を表す前記タイマ値を用いることを特徴とする請求項２に記載の移動通信システム。
【請求項４】
単一の前記上りリンク制御チャネルが時分割多重モードの前記第２セルに設定されている場合に、前記移動局は、前記第１コンポーネントキャリアと、前記第２コンポーネントキャリアのそれぞれに対して、前記第２セルの上りリンクサブフレームと下りリンクサブフレームの配置比率に応じた前記タイマ値を用いることを特徴とする請求項２に記載の移動通信システム。
【請求項５】
前記第１セルと前記第２セルに、前記送達確認用の前記上りリンク制御チャネルが設定されている場合に、
前記移動局は、前記第１コンポーネントキャリアに対して前記第１のデュプレックスモードに応じたタイマ値を用い、前記第２コンポーネントキャリアに対して前記第２のデュプレックスモードに応じたタイマ値を用いて、個別に前記間欠受信制御を行うことを特徴とする請求項１に記載の移動通信システム。
【請求項６】
第１のデュプレックスモードで無線通信を行う第１セルで運用される第１コンポーネントキャリアと、前記第１のデュプレックスモードと異なる第２のデュプレックスモードで無線通信を行う第２セルで運用される第２コンポーネントキャリアとを用いてキャリアアグリゲーションを行う移動通信システムで用いられる移動局装置において、
前記第１コンポーネントキャリア、前記第２コンポーネントキャリア、及び前記第1コンポーネントキャリアと前記第２コンポーネントキャリアの送達確認用の上りリンク制御チャネルを送信するセルを管理する管理部と、
前記第１コンポーネントキャリアで送られてくる第１下りリンクデータ信号と、前記第２コンポーネントキャリアで送られてくる第２下りリンクデータ信号の少なくとも一方を受信したときに、前記管理部で管理される情報に基づいて、前記上りリンク制御チャネルを送信するセルのデュプレックスモードに応じたタイマ値を用いて間欠受信制御を行う制御部と、
を有することを特徴とする移動局装置。
【請求項７】
前記制御部は、前記第１コンポーネントキャリアと前記第２コンポーネントキャリアの送達確認用に、単一の前記上りリンク制御チャネルが設定されている場合に、前記第１コンポーネントキャリアと、前記第２コンポーネントキャリアのそれぞれに対して、前記上りリンク制御チャネルを送信するセルの前記デュプレックスモードに応じた前記タイマ値を用いることを特徴とする請求項６に記載の移動局装置。
【請求項８】
前記制御部は、単一の前記上りリンク制御チャネルが周波数分割多重モードの前記第１セルに設定されている場合に、前記第１コンポーネントキャリアと、前記第２コンポーネントキャリアのそれぞれに対して、前記周波数分割多重モードでの最小往復伝送時間を表す前記タイマ値を用いることを特徴とする請求項７に記載の移動局装置。
【請求項９】
前記制御部は、単一の前記上りリンク制御チャネルが時分割多重モードの前記第２セルに設定されている場合に、前記移動局は、前記第１コンポーネントキャリアと、前記第２コンポーネントキャリアのそれぞれに対して、前記第２セルの上りリンクサブフレームと下りリンクサブフレームの配置比率に応じた前記タイマ値を用いることを特徴とする請求項７に記載の移動局装置。
【請求項１０】
前記制御部は、前記第１セルと前記第２セルに、前記送達確認用の前記上りリンク制御チャネルが設定されている場合に、前記第１コンポーネントキャリアに対して前記第１のデュプレックスモードに応じたタイマ値を用い、前記第２コンポーネントキャリアに対して前記第２のデュプレックスモードに応じたタイマ値を用いて、個別に前記間欠受信制御を行うことを特徴とする請求項６に記載の移動局装置。
【発明の詳細な説明】
【技術分野】
【０００１】
本発明は移動通信の分野に関し、特に、異なるデュプレックス・モード間のキャリアアグリゲーション（ＣＡ）時の間欠受信（ＤＲＸ）制御に関する。
【背景技術】
【０００２】
３ＧＰＰ（Third Generation Partnership Project）で標準化されている移動通信規格であるＬＴＥ（Long Term Evolution）及びＬＴＥ−advancedでは、移動局（ＵＥ：User Equipment）のバッテリーセービングを目的に、間欠受信（ＤＲＸ：Discontinuous Reception）制御を行っている（たとえば、非特許文献１参照）。
【０００３】
ＤＲＸ制御では、ＵＥができるだけ非アクティブ状態に遷移できるようなメカニズムが導入されている。その中に、ハイブリッド自動再送要求ラウンドトリップ時間（HARQ RTT:  Hybrid Automatic Repeat Request Round Trip Time）タイマがある。HARQ RTTタイマは、下りリンクデータの受信時に当該データが再送されるタイミングを計るものである。HARQ RTTタイマの起動中は、ＵＥは少なくとも当該データの再送のためにアクティブとならなくてもよい。タイマが満了するまで再送データを受信することが期待されないからである。ただし、他の条件によりたまたまアクティブになる場合は除外する。
【０００４】
一方、ＬＴＥのリリース１０以降、同一の基地局（ｅＮＢ：evolved Node B）配下で複数のコンポーネントキャリア（ＣＣ）を束ねてスループットを向上するキャリアアグリゲーション（Intra-eNB CA）がサポートされている。リリース１０及びリリース１１では、キャリアアグリゲーションで束ねられるコンポーネントキャリアは、同一のデュプレクス・モード（duplex mode）に限られている。すなわち、プライマリセル（PCell）で運用されるコンポーネントキャリアとセカンダリセル（SCell）で運用されるコンポーネントキャリアの双方が、ＦＤＤ（Frequency Division Duplex：周波数分割多重）のコンポーネントキャリア、または双方がＴＤＤ（Time Division Duplex：時分割多重）のコンポーネントキャリアである。
【０００５】
リリース１２ではキャリアアグリゲーションを拡張し、異なるデュプレクス・モードのコンポーネントキャリアを用いてキャリアアグリゲーションを行うＴＤＤ−ＦＤＤキャリアアグリゲーションが検討されている（たとえば非特許文献２参照）。
【先行技術文献】
【非特許文献】
【０００６】
【非特許文献１】3GPP TS36.321
【非特許文献２】3GPP TSG RAN Meeting #61, Porto, Portugal, 3rd-6th September, 2013, RP-131399
【発明の概要】
【発明が解決しようとする課題】
【０００７】
ＴＤＤ−ＦＤＤキャリアアグリゲーションでは、プライマリセル（PCell）のデュプレクス・モードによって想定すべきＨＡＲＱラウンドトリップ時間が異なる。ＭＡＣ（Media Access Control）レイヤでＡＣＫ／ＮＡＣＫ送信するためのコンポーネントキャリアは、PCellのコンポーネントキャリア（ＰＣＣ）に限定されているため、ＨＡＲＱラウンドトリップ時間がPCellのデュプレクス・モードに依存するからである。
【０００８】
ＴＤＤ−ＦＤＤキャリアアグリゲーションでは、ＴＤＤとＦＤＤのいずれもがPCellに設定されて制御されることが想定される。ＦＤＤモードでは、上りリンク周波数と下りリンク周波数が常に用意されているので、ＨＡＲＱラウンドトリップ時間は一定時間（たとえば８ｍｓ）となる。他方、ＴＤＤモードでは、設定されている「TDD config」、すなわち下りリンク（ＤＬ）サブフレームと上りリンク（ＵＬ）サブフレームの配置比率によって異なるＲＲＴ値が定義される。ＤＬ／ＵＬ配置比率によって処理遅延時間が変わるからである。
【０００９】
ＨＡＲＱプロセスは、コンポーネントキャリアごとに用意されるので、PCellのコンポーネントキャリア（ＰＣＣ）とSCellのコンポーネントキャリア（ＳＣＣ）に対して、別々にHARQ RTTタイマ値が設定されることになる。
【００１０】
PCellがＦＤＤモードの場合、ＴＤＤモードのSCellに対してＴＤＤ設定（TDD config）に応じたHARQ RTTタイマ値が用いられる。この場合、下りリンクの再送タイミングが遅延する場合が生じる。
【００１１】
また、PCellがＴＤＤモードの場合、ＦＤＤモードのSCellに対してＦＤＤのHARQ RTTタイマ値（８ｍｓ）が適用されるため、ＵＥは下りリンクでの再送が期待されないサブフレームでもアクティブになり、バッテリーを浪費する。
【００１２】
そこで、異なるデュプレクス・モードのセル間でＴＤＤ−ＦＤＤキャリアアグリゲーションが行われる場合に、下りリンク再送タイミングの遅れや、移動局（ＵＥ）の不要なバッテリー消費を抑制することのできる間欠受信制御の実現を課題とする。
【課題を解決するための手段】
【００１３】
上記課題を解決するために、本発明の第１の態様では、第１のデュプレックスモードで無線通信を行う第１セルで運用される第１コンポーネントキャリアと、前記第１のデュプレックスモードと異なる第２のデュプレックスモードで無線通信を行う第２セルで運用される第２コンポーネントキャリアとを用いてキャリアアグリゲーションを行う移動通信システムにおいて、
前記第１コンポーネントキャリア、及び前記第２コンポーネントキャリアの送達確認用の上りリンク制御チャネルを送信するセルが設定されており、
移動局は、前記第１コンポーネントキャリアで送られてくる第１下りデータ信号と、前記第２コンポーネントキャリアで送られてくる第２下りリンクデータ信号の少なくとも一方を受信したときに、前記上りリンク制御チャネルを送信するセルのデュプレックスモードに応じたタイマ値を用いて間欠受信制御を行う、
ことを特徴とする。
【発明の効果】
【００１４】
異なるデュプレクス・モードのセル間でＴＤＤ−ＦＤＤキャリアアグリゲーションが行われる際に、下りリンク再送タイミングの遅れや、移動局の不要なバッテリー消費を抑制する間欠受信制御が実現する。
【図面の簡単な説明】
【００１５】
【図１】ＴＤＤ−ＦＤＤキャリアアグリゲーションを説明する図である。
【図２】ＦＤＤとＴＤＤのリソース割り当て例を示す図である。
【図３】第１実施形態の間欠受信制御でのHARQ RTTタイマの選択例を示す図である。
【図４】第１実施形態の間欠受信制御でのHARQ RTTタイマの選択例を示す図である。
【図５】移動局で行われるHAQR RTTタイマ制御のフローチャートである。
【図６】第２実施形態の間欠受信制御でのHARQ RTTタイマの選択例を示す図である。
【図７】第２実施形態の間欠受信制御でのHARQ RTTタイマの選択例を示す図である。
【図８】第２実施形態のＴＤＤ−ＦＤＤキャリアアグリゲーション時のシーケンス図である。
【図９】実施形態の移動局の概略ブロック図である。
【発明を実施するための形態】
【００１６】
実施形態では、ＴＤＤ−ＦＤＤキャリアアグリゲーションの際に、ＦＤＤとＴＤＤでＨＡＲＱラウンドトリップ時間が異なることによる不都合を解消するために、
（１）ＡＣＫ（Acknowledgement）／ＮＡＣＫ（Negative Acknowledgement）を単一の上りリンク制御チャネル（ＰＵＣＣＨ：Physical Uplink Control Channel）で通知する場合においては、ＴＤＤ−ＦＤＤキャリアアグリゲーションの対象となっているすべてのコンポーネントキャリアに対してＰＵＣＣＨを送信するセルのデュプレックス・モードに応じたHARQ RTTタイマ値を用い、
（２）ＰＵＣＣＨ送信を行うセルが複数ある場合には、ＰＵＣＣＨを送信する各セルのデュプレックス・モードに応じたHARQ RTTタイマ値を用いる、
ことを提案する。
＜第１実施形態＞
第１実施形態では、ＴＤＤ−ＦＤＤキャリアアグリゲーションにおいて、下りリンクデータ送信に対するＡＣＫ／ＮＡＣＫ応答をひとつのＰＵＣＣＨで行う場合を例にとる。
【００１７】
図１は、実施形態の移動通信システム１の概略構成図である。移動通信システム１は、第１のデュプレックス・モードで動作する第１基地局１０と、第２のデュプレックス・モードで動作する第２基地局２０と、移動局（ＵＥ）３０を含む。ＵＥ３０は、第１基地局１０が運用するコンポーネントキャリアと、第２基地局２１が運用するコンポーネントキャリアを用いてデータの送受信を行う。
【００１８】
第１基地局１０は、たとえばマクロ基地局（ｅＮＢ）１０であり、自局のサービスエリア１１内でエリアＦＤＤ方式の無線通信をサポートしている。第２基地局２０は、たとえばマクロ基地局に接続している無線装置（ＲＲＥ：Remote Radio Equipment）でもよいし、スモール基地局（ｅＮＢ）２０でもよく、自局のサービスエリア２１内でＴＤＤ方式の無線通信をサポートしている。
【００１９】
図２は、ＦＤＤとＴＤＤのリソース割り当て例を示す。ＦＤＤでは、上りリンク通信用の周波数リソースと、下りリンク通信用の周波数リソースが常に用意されている。したがって、最小伝送時間は、下りリンク及び上りリンクの伝送時間（それぞれ１サブフレーム）に、ＵＥ３０とｅＮＢ１０での処理遅延時間を加えた固定的な値となる。ＦＤＤのＨＡＲＱのラウンドトリップ時間は、最小伝送時間（たとえば８ｍｓ）に設定される。
【００２０】
これに対し、ＴＤＤでは、ある周波数を時分割して上りリンクと下りリンクにサブフレームを割り当てる。上りリンク通信用のサブフレーム（図中「Ｄ」で表示）と、下りリンク通信用のサブフレーム（図中「Ｕ」で表示）の配置比率は、複数種類のコンフィギュレーションが用意されており、コンフィギュレーションごとに異なるラウンドトリップ時間が定義される。なお、図中の「Ｓ」は、下りリンク通信用のサブフレーム（Ｄ）から上りリンクサブフレーム用のサブフレーム「Ｕ｝へ切り替えるための特別のサブフレームである。
【００２１】
ここでは、便宜上、ＦＤＤ方式で運用されるコンポーネントキャリアを「ＦＤＤコンポーネントキャリア」と称し、ＴＤＤ方式で運用されるコンポーネントキャリアを「ＴＤＤコンポーネントキャリア」と称する。
【００２２】
図１に戻って、ＵＥ３０には、ＴＤＤ−ＦＤＤキャリアアグリゲーションが設定されている。たとえば、マクロｅＮＢ１０が運用するＦＤＤのプライマリＣＣと、スモールｅＮＢ２０が運用するＴＤＤのセカンダリＣＣを用いて通信している。
【００２３】
ＵＥ３０はまた、バッテリーセービングのために間欠受信（ＤＲＸ）を行ない、コンポーネントキャリアごとにＨＡＲＱプロセスを実行する。ＨＡＲＱプロセスにおいて、ＵＥ３０は、ＡＣＫ／ＮＡＣＫ用のＰＵＣＣＨを送信するセルのデュプレックス・モードに応じたHARQ RTTタイマ値を使用する。
【００２４】
たとえば、マクロｅＮＢ１０がPCellであり、PCellのＰＵＣＣＨでＡＣＫ／ＮＡＣＫ応答を行う場合、ＴＤＤ方式のSCell（この例ではスモールｅＮＢ２０）のコンポーネントキャリアに対しても、ＦＤＤ用のHARQ RTTタイマ値（たとえば８ｍｓ）を設定する。
【００２５】
ＤＲＸ制御では、「RRC connected」の状態にあるＵＥ３０は、アクティブ状態と非アクティブ状態の２つの状態の間を遷移する。アクティブ状態では、ＵＥ３０はコンポーネントキャリアごとに下りリンク制御チャネル（ＰＤＣＣＨ：Physical Downlink Control Channel）を監視し、チャネル品質（ＣＱＩ）、プリコーディング行列（ＰＭＩ）などのフィードバック情報やサウンディング参照信号（ＳＲＳ）を報告する。非アクティブ状態では、ＵＥ３０はＰＤＣＣＨを監視せず、フィードバック情報の報告を行わない。
【００２６】
ＵＥ３０は、ＦＤＤコンポーネントキャリアとＴＤＤコンポーネントキャリアの各々で下りリンクデータの新規送信データ、あるいは再送データを受信すると、HARQ RTTタイマをオンにして、タイマが満了するまで非アクティブ状態となる。（非アクティビティタイマの起動など、別の条件によりアクティブになることはあるが、ここではそのような場合を除外する。）
このとき、ＵＥ３０は、マクロｅＮＢ１０のＦＤＤのプライマリコンポーネントキャリア（ＰＣＣ）と、スモールｅＮＢ２０が運用するＴＤＤのセカンダリコンポーネントキャリア（ＳＣＣ）の双方に対して、同じHARQ RTTタイマ値（この例では８ｍｓ）を設定する。これにより、下りリンクでの再送タイミングの遅延や、早すぎるタイミングでのアクティブ状態への遷移によるバッテリー消費を回避することができる。
【００２７】
図３は、第１実施形態のHARQ RTTタイマ値の選択例を示す図である。ＵＥ３０は、PCellのコンポーネントキャリア、SCell#1のコンポーネントキャリア、及びSCell#2のコンポーネントキャリアを用いてＴＤＤ−ＦＤＤキャリアアグリゲーションを行って、下りリンクデータを受信する。各コンポーネントキャリアの誤り検出結果に応じて、ＡＣＫまたはＮＡＣＫがPCellのＰＵＣＣＨに多重され、送信される。この場合、ＡＣＫ／ＮＡＣＫ用のＰＵＣＣＨを送信するPCellのデュプレックス・モードに対応するHARQ RTTタイマ値が、ＴＤＤ−ＦＤＤキャリアアグリゲーションの対象となっているすべてのコンポーネントキャリアに対して用いられる。PCellがＦＤＤの場合、すべてのコンポーネントキャリアに対して、ＦＤＤ用のHARQ RTTタイマ値が用いられ、PCellがＴＤＤの場合、すべてのコンポーネントキャリアに対してそのPCellの「TDD config」に応じたHARQ RTTタイマ値が用いられる。
【００２８】
ＰＵＣＣＨを受信した基地局（この例ではマクロｅＮＢ１０）は、ＰＵＣＣＨに含まれる各コンポーネントキャリアのＡＣＫ／ＮＡＣＫ応答に基づいて、各コンポーネントキャリアのための再送スケジューリングを行う。
【００２９】
図４は、第１実施形態のHARQ RTTタイマ値の別の選択例を示す図である。図４では、各コンポーネントキャリアのＡＣＫ／ＮＡＣＫが、SCell#1のＰＵＣＣＨで送信される。図３と同様に、ＵＥ３０は、PCellのコンポーネントキャリア、SCell#1のコンポーネントキャリア、及びSCell#2のコンポーネントキャリアを用いて、下りリンクデータを受信する。各コンポーネントキャリアに対するＡＣＫまたはＮＡＣＫは、SCell#1のＰＵＣＣＨに多重されて送信される。この場合、SCell#2のデュプレックス・モードに対応するHARQ RTTタイマ値が、すべてのコンポーネントキャリアに対して用いられる。SCell#1がＴＤＤの場合、すべてのコンポーネントキャリアに対して、SCell#1の「TDD config」に対応するHARQ RTTタイマ値が用いられる、SCell#1がＦＤＤの場合、すべてのコンポーネントキャリアのHARQ RTTタイマ値として、最小伝送時間、たとえば８ｍｓが設定される。
【００３０】
SCell#1は、マクロｅＮＢ１０が運用するセカンダリセルであってもよいし、スモールｅＮＢ２０が運用するセルであってもよい。ＰＵＣＣＨはデータの再送要求に用いられるので、低い誤り率が求められる。ＴＤＤ−ＦＤＤキャリアアグリゲーション時に、ＴＤＤモードのSCell#1のコンポーネントキャリアの通信品質が特に良好な場合に、ＴＤＤの上りリンクと下りリンクのチャネルの双対性に基づいて、SCell#1のＰＵＣＣＨでＡＣＫ／ＮＡＣＫを送信することは十分に考えられる。
【００３１】
ＰＵＣＣＨを受信した基地局は、ＰＵＣＣＨに含まれる各コンポーネントキャリアのＡＣＫ／ＮＡＣＫ応答に基づいて、各コンポーネントキャリアのための再送スケジューリングを行う。あるいは、ＡＣＫ／ＮＡＣＫ結果を、PCellを提供するマクロｅＮＢ１０に通知してもよい。
【００３２】
図５は、ＵＥ３０における間欠受信制御のフローチャートである。図５の処理は、ＴＤＤ−ＦＤＤキャリアアグリゲーションの対象となっているコンポーネントキャリアごとに行われる。
【００３３】
ＵＥ３０は、下りリンクデータを受信すると（Ｓ１０１）、ＡＣＫ／ＮＡＣＫ用のＰＵＣＣＨを送信するコンポーネントキャリアがＦＤＤのコンポーネントキャリアか否かを判断する（Ｓ１０２）。ＰＵＣＣＨがＦＤＤのコンポーネントキャリアである場合は（Ｓ１０２でＹＥＳ）、HARQ RTTタイマ値を、ＦＤＤのＨＡＲＱラウンドトリップ時間の固定値、たとえば８ｍｓに設定する（Ｓ１０３）。
【００３４】
ＡＣＫ／ＮＡＣＫ用のＰＵＣＣＨを送信するコンポーネントキャリアがＴＤＤのコンポーネントキャリア（Ｓ１０２でＮＯ）の場合は、HARQ RTTタイマの値を、「TDD config」に応じた値に設定する（Ｓ１０４）。
【００３５】
上述した制御により、ＴＤＤ−ＦＤＤキャリアアグリゲーション時に、ＵＥ３０に対する再送処理の遅延や、ＵＥ３０における不要なバッテリー消費を回避することができる。また、第１実施形態では、異なるデュプレックス・モード間でのキャリアアグリゲーションであっても、単一のHARQ RTTタイマで再送制御を行うことができる。
＜第２実施形態＞
図６及び図７は、第２実施形態のHARQ RTTタイマ値の選択例を示す図である。第２実施形態では、複数のＰＵＣＣＨでＡＣＫ／ＮＡＣＫを送信する。
【００３６】
ＵＥ３０は、第１実施形態と同様に、PCellのコンポーネントキャリア（ＰＣＣ）、SCell#1のコンポーネントキャリア（ＳＣＣ＃１）、及びSCell#2のコンポーネントキャリア（ＳＣＣ＃２）を用いてＴＤＤ−ＦＤＤキャリアアグリゲーションを行い、下りリンクデータを受信する。
【００３７】
図６の例では、ＵＥ３０は、下りリンクＰＣＣに対するＡＣＫ／ＮＡＣＫはPCellのＰＵＣＣＨで送信し、下りリンクＳＣＣ＃１と下りリンクＳＣＣ＃２に対するＡＣＫ／ＮＡＣＫは、SCell#1のＰＵＣＣＨ送信するように設定（configure）されている。
【００３８】
このとき、ＵＥ３０は、ＰＣＣに対してPCellのデュプレックスモードに対応するHARQ RTTタイマ値を用い、ＳＣＣ＃１とＳＣＣ＃２に対して、SCell#1のデュプレックスモードに対応するHARQ RTTタイマ値を用いる。
【００３９】
たとえば、PCellがＦＤＤモードのマクロｅＮＢ１０で運用されており、SCell#1とSCell#2がＴＤＤモードのスモールｅＮＢ２０で運用されている場合、ＰＣＣのためのHARQ RTTタイマー値を８ｍｓに設定する。また、ＳＣＣ＃１とＳＣＣ＃２のためのHARQ RTTタイマー値としてSCell#1の「TDD config」に応じた値を設定する。
【００４０】
この構成では、ＴＤＤ−ＦＤＤキャリアアグリゲーションで、HARQ RTTタイマーの数を最小にしつつ、再送タイミングの遅延や、無駄なバッテリー消費を抑制することができる。
【００４１】
図７の例では、下りリンクPCellのコンポーネントキャリア（ＰＣＣ）、及び下りリンクSCell#1のコンポーネントキャリア（ＳＣＣ＃１）に対するＡＣＫ／ＮＡＣＫを、SCell#1のＰＵＣＣＨで送信し、下りリンクSCell#2のコンポーネントキャリア（ＳＣＣ＃２）に対するＡＣＫ／ＮＡＣＫを、SCell#2のＰＵＣＣＨで送信するように設定（configure）されている。
【００４２】
ＵＥ３０は、各コンポーネントキャリアで下りデータ信号を受信したならば、ＰＣＣとＳＣＣ＃１に対してSCell#1のデュプレックスモードに対応するHARQ RTTタイマ値を用い、ＳＣＣ＃２に対して、SCell#2のデュプレックスモードに対応するHARQ RTTタイマ値を用いる。
【００４３】
たとえば、PCellとSCell#1がＦＤＤモードのマクロｅＮＢ１０で運用されており、SCell#2がＴＤＤモードのスモールｅＮＢ２０で運用されている場合、ＰＣＣとＳＣＣ＃１のためのHARQ RTTタイマー値を８ｍｓに設定する。また、ＳＣＣ＃２のためのHARQ RTTタイマー値としてSCell#2の「TDD config」に応じた値を設定する。
【００４４】
この構成でも、ＴＤＤ−ＦＤＤキャリアアグリゲーションで、HARQ RTTタイマーの数を最小にしつつ、再送タイミングの遅延や、無駄なバッテリー消費を抑制することができる。
【００４５】
図８は、第２実施形態のＴＤＤ−ＦＤＤキャリアアグリゲーション時のＵＥ３０と、基地局（ｅＮＢ）の間の処理シーケンス図である。
【００４６】
まず、ＵＥ３０のためのPCellを運用する基地局（たとえばマクロｅＮＢ１０）は、異なるデュプレックス・モードのセル（たとえばスモールｅＮＢ２０が運用するセル）をSCellとして追加し、個別制御信号「RRC connection reconfiguration」をＵＥ３０に送信する（Ｓ２０１）。
【００４７】
ＵＥ３０はSCellの設定を行い、完了通知「RRC connection reconfiguration complete」をｅＮＢに送信する（Ｓ２０２）。
【００４８】
SCellは追加された直後はde-activate状態であるため、ｅＮＢは、追加したSCellを（スケジューリング可能な）Activate状態にするためのコマンドを送信する（Ｓ２０３）。
【００４９】
ｅＮＢはPCellのコンポーネントキャリア（ＰＣＣ）で、下りリンクデータをＵＥに送信するとともに（Ｓ２０４）、異なるデュプレックスモードのSCellのコンポーネントキャリア（ＳＣＣ）で、下りリンクデータをＵＥに送信する（Ｓ２０５）。
【００５０】
ＰＣＣで下りデータを受信したＵＥ３０は、PCellのデュプレックス・モードに応じたタイマ値を用いてPCell用のHARQ RTTタイマを起動し、PCellのＰＵＣＣＨで下りデータの誤り検出結果を通知する（Ｓ２０６）。また、ＵＥ３０はＳＣＣで下りデータを受信すると、SCellのデュプレックス・モードに応じたタイマ値を用いてSCell用のHARQ RTTタイマを起動し、SCellのＰＵＣＣＨで下りデータの誤り検出結果を通知する(Ｓ２０７)。
【００５１】
これにより、異なるデュプレックス・モード間でのキャリアアグリゲーション時に、最小のPCellのデュプレックス・モードに応じたタイマ値を用いてPCell用のHARQ RTTタイマを起動し、PCellのＰＵＣＣＨで下りデータの誤り検出結果を通知する。PCellのデュプレックス・モードに応じたタイマ値を用いてPCell用のHARQ RTTタイマを起動し、PCellのＰＵＣＣＨで下りデータの誤り検出結果を通知する。
【００５２】
ＡＣＫ／ＮＡＣＫの送信に用いるＰＵＣＣＨを、ＲＲＣ（無線リソース制御）信号でセミスタティックに指定してもよい。
【００５３】
この構成により、異なるデュプレックス・モード間でのキャリアアグリゲーション時に用いるHARQ RTTタイマの数を抑制しつつ、ＰＵＣＣＨを送信するセルのデュプレックスモードに応じた間欠受信制御を行うことができる。
＜移動局構成＞
図９は、実施形態の移動局（ＵＥ）３０の概略ブロック図である。ＵＥ３０は、下りリンク（ＤＬ）信号受信部３１と、上りリンク（ＵＬ）信号受信部３２と、コンポーネントキャリア（ＣＣ）管理部３３と、間欠受信（ＤＲＸ）制御部３５を有する。
【００５４】
ＤＬ信号受信部は、異なるデュプレックス・モードのセルからそれぞれのコンポーネントキャリアで下りデータ信号を受信する。また、PCellから個別の制御信号を含む多様な制御信号を受信する。個別の制御信号は、キャリアアグリゲーション時のSCellの設定・追加・変更要求を含む。
【００５５】
ＵＬ信号送信部３２は、PCellのコンポーネントキャリア（ＰＣＣ）とSCellのコンポーネントキャリア（ＳＣＣ）の下りリンクデータの誤り検出結果を、１または複数の特定のセルのＰＵＣＣＨで送信する。
【００５６】
ＣＣ管理部３３は、PCellからのSCell設定・追加・変更要求に応じてSCellの設定・追加・変更を行い、PCellおよびSCellで運用されているコンポーネントキャリアを管理する。異なるデュプレックスモード間のキャリアアグリゲーションが実施される場合は、各セルのコンポーネントキャリアと対応するデュプレックス・モードを関連付けて管理する。
【００５７】
ＣＣ管理部３３はまた、キャリアアグリゲーションで用いられている各コンポーネントキャリアに対するＡＣＫ／ＮＡＣＫを、どのセルのＰＵＣＣＨで送信するかの設定情報を管理する。
【００５８】
ＤＲＸ制御部３５は、ＦＤＤ用HARQ RTTタイマ３６と、ＴＤＤ用HARQ RTTタイマ３８と、各タイマのカウンタ値（タイマ値）を個別に管理するカウンタ管理部３７とを有する。ＤＲＸ制御部３５は、ＤＬ信号受信部３１で下りリンクデータ信号が受信されると、ＣＣ管理部３３の設定情報に基づき、各コンポーネントキャリアに対するＡＣＫ／ＮＡＣＫをどのＰＵＣＣＨを用いて送信すべきかを判断する。そして、ＰＵＣＣＨを送信するセルのデュプレックス・モードに応じて、ＦＤＤ用HARQ RTTタイマ３６とＴＤＤ用HARQ RTTタイマ３８の少なくとも一方を起動し、非アクティブ状態への遷移を制御する。
【００５９】
ＦＤＤ用HARQ RTTタイマ３６は、ＰＵＣＣＨを送信するセルがＦＤＤのセルである場合に用いられ、そのタイマ値は、たとえば８ｍｓに設定される。ＴＤＤ用HARQ RTTタイマ３８は、ＰＵＣＣＨを送信するセルがＴＤＤのセルである場合に用いられ、そのタイマ値として、ＰＵＣＣＨ送信セルの「TDD config」に応じた値が用いられる。
【００６０】
この構成により、ＴＤＤ−ＦＤＤキャリアアグリゲーション実行時の間欠受信制御において、下りリンク再送タイミングの遅延や、ＵＥのバッテリー消費を抑制することができる。
【００６１】
また、上記制御に対応していないUEも存在しえるため、UEが当該能力の有無をeNBに報告し、当該能力があるUEに対してのみ上記制御を適用してもよい。
【００６２】
上述した実施形態では、キャリアアグリゲーションの対象となるSCellを運用する第２基地局としてスモールｅＮＢを例にとって説明したが、第２基地局がＲＲＥのような子局である場合のキャリアアグリゲーション（Intra-eNB CA）にも同様に適用される。
【符号の説明】
【００６３】
１  移動通信システム
１０  基地局（マクロｅＮＢ）
２０  基地局（スモールｅＮＢ）
３０  移動局（ＵＥ）
３１  ＤＬ信号受信部
３２  ＵＬ信号送信部
３３  ＣＣ管理部
３５  ＤＲＸ制御部
３６  ＦＤＤ用HARQ RTTタイマ
３７  カウンタ管理部
３８  ＴＤＤ用HARQ RTTタイマ
【図１】
2015154462.tif 000003
【図２】
2015154462.tif 000004
【図３】
2015154462.tif 000005
【図４】
2015154462.tif 000006
【図５】
2015154462.tif 000007
【図６】
2015154462.tif 000008
【図７】
2015154462.tif 000009
【図８】
2015154462.tif 000010
【図９】
2015154462.tif 000011